(57)【特許請求の範囲】
【請求項１】
フィルムに写込みデータを写し込むデータ写込みユニットを、カメラの裏蓋に装着するようにしたデータ写込みユニットの取付構造であって、
前記裏蓋の外殻ケースには、前記データ写込みユニットを外側から装着させるための装着開口が形成され、且つ前記装着開口の内周部には、光漏れを阻止すると共に前記データ写込みユニットの装着を許容する弾性部材が設けられ、
前記データ写込みユニットは、前記弾性部材を変形させるようにして前記装着開口に着脱自在に、且つ前記外殻ケースの外面と略面一になるように装着されていることを特徴とするデータ写込みユニットの取付構造。
【請求項２】
請求項１に記載のデータ写込みユニットの取付構造を備えたカメラであって、
写込みデータおよび写込み機能の異なる各種のデータ写込みユニットを、交換装着可能に構成されていることを特徴とするカメラ。
【発明の詳細な説明】
【０００１】
【発明の属する技術分野】
本発明は、撮影されたフィルムに日付けや時刻等の撮影データ（写込みデータ）を写し込むデータ写込みユニットの取付構造およびこれを備えたカメラに関するものである。
【０００２】
【従来の技術】
従来、この種のデータ写込みユニットの取付構造として、例えば特開平５−１５０３３０号公報に記載のものが知られている。このカメラでは、カメラ本体の裏蓋にデータ写込み装置が背面側から着脱自在に装着されると共に、データ写込み装置に代えて、データ写込み装置と同一形状のダミー装置が装着可能に構成されている。これにより、カメラ本体を共用して、データ写込み装置を装着した場合には、データ写込み装置付きのカメラとし、ダミー装置を装着した場合には、データ写込み装置なしのカメラとして、カメラ機種を簡単に変更することが可能になっている。
【０００３】
【発明が解決しようとする課題】
このような従来のデータ写込みユニットの取付構造を備えたカメラでは、裏蓋の背面に形成した取付溝に対し、データ写込み装置またはダミー装置を単純に着脱する構造であるため、光漏れの問題があった。また、データ写込み装置の有無によるカメラ機種の変更は可能であるが、モニタ表示パネルの有無など、搭載するデータ写込み装置別のカメラ機種の変更は、特に想定されていない。
【０００４】
本発明は、光漏れを確実に防止した状態で、データ写込みユニットを簡単に着脱することができるデータ写込みユニットの取付構造を、またこの取付構造を利用して各種のデータ写込みユニットを交換搭載可能なカメラを提供することをその目的としている。
【０００５】
【課題を解決するための手段】
本発明のデータ写込みユニットの取付構造は、フィルムに写込みデータを写し込むデータ写込みユニットを、カメラの裏蓋に装着するようにしたデータ写込みユニットの取付構造であって、裏蓋の外殻ケースには、データ写込みユニットを外側から装着させるための装着開口が形成され、且つ装着開口の内周部には、光漏れを阻止すると共にデータ写込みユニットの装着を許容する弾性部材が設けられ、データ写込みユニットは、弾性部材を変形させるようにして装着開口に着脱自在に、且つ外殻ケースの外面と略面一になるように装着されていることを特徴とする。
【０００６】
この構成によれば、データ写込みユニットを装着開口に押し込むと、装着開口の内周部に設けた弾性部材が変形して、データ写込みユニットの装着を許容する。また、逆の手順で、装着開口からデータ写込みユニットを簡単に取り外すことができる。この場合、弾性部材は、装着したデータ写込みユニットにより弾力的につぶれ、カメラ内部への光漏れを確実に防止すると共に、データ写込みユニットを装着開口に不動に保持する。
【００１７】
本発明のカメラは、上記したデータ写込みユニットの取付構造を備えたカメラであって、写込みデータおよび写込み機能の異なる各種のデータ写込みユニットを、交換装着可能に構成されていることを特徴とする。
【００１８】
この構成によれば、写込みデータおよび写込み機能の異なる各種のデータ写込みユニットを、上記の取付構造を利用して選択的に装着することで、各種の異なるデータ写込みユニットを搭載したカメラを構成することができる。なお、写込みデータが異なるものとして、例えば日時データが各国別に時差を考慮したもの、日時データの他にキャラクターやメッセージを写込み可能としたものなどが考えられる。また、写込み機能が異なるものとして、モニター表示パネルの有無や、写込み表示パネルがセグメント形式かドットマトリクス形式かの相違に基づくものなどが考えられる。
【００１９】
【発明の実施の形態】
以下、添付の図面を参照して、本発明の一実施形態に係るデータ写込みユニットの取付構造およびこの取付構造を利用したカメラについて説明する。図１は、このカメラの裏蓋を開放した状態を表しており、同図に示すように、ユニット化されたこのデータ写込み装置（データ写込みユニット）１は、カメラ本体２の裏蓋３に組み込まれ、カメラ本体２のレリーズ４の押釦に同期して、フィルム５に、日付け、時刻等（データ）を裏側から写し込むようになっている。
【００２０】
カメラ本体２の裏蓋３は、外殻ケース７と、外殻ケース７の内側に設けた地板８と、地板８に保持した圧板９とを有し、裏蓋３を閉塞した状態で圧板９が、フィルム５を平坦になるように押圧する。データ写込み装置１は、この外殻ケース７と地板８との間に収容され、その写込み表示パネル１１が、地板８および圧板９にそれぞれ形成した開口８ａ，９ａからフィルム５に臨んでいる（図３参照）。また、データ写込み装置１がモニタ表示パネルを備える場合には、外殻ケース７に形成した開口からモニタ表示パネルおよび日付合わせボタンが、裏蓋の背面側に露出する（図示省略）。そして、データ写込み装置１は、外殻ケース７の内側に着脱自在に取り付けられている（詳細は後述する）。
【００２１】
データ写込み装置１は、図２に示すように、表保護プレート１２ａと裏保護プレート１２ｂとから成るケース体１２の内部に、回路基板１３を挟んで構成されている。表保護プレート１２ａには、突出するように写込み表示パネル１１が設けられ、同様に裏保護プレート１２ｂには、突出するようにモニタ表示パネル１４が設けられている。
【００２２】
また、回路基板１３の表面には、表保護プレート１２ａにより保護されるようにして、写込み光源となるランプ１５、計時用の水晶発振子１６および制御用のＩＣ１７などが実装されている。また、裏保護プレート１２ｂの切欠き部１８に位置して、カメラ本体２と接続するための写込み信号端子１９や、上記の日時合わせボタンに接触するスイッチ端子２０が配設されている。写込み信号端子１９からは、カメラ本体２から電力が供給されると共に、カメラ本体２のレリーズ４の押釦が写込みのトリガー信号として入力され、レリーズ４の押釦に同期してデータの写し込みが行われる。
【００２３】
写込み表示パネル１１は、対面するフィルムに日付け、時刻等を写し込む際のマスクを構成するものであり、日付け、時刻等を透明部分で表示し、ランプ１５の照射光（写込み光）を透過させて、フィルム５にデータを写し込む。写込み表示パネル１１は、ドットマトリクス液晶パネルで構成された写込み用ＬＣＤ１１ａと、これを保持するＬＣＤホルダ１１ｂとで一体に形成されており、表保護プレート１２ａの表面から突出するように設けられている。
【００２４】
同様に、モニタ表示パネル１４は、ドットマトリクス液晶パネルで構成されたモニタ用ＬＣＤ１４ａと、これを保持するＬＣＤホルダ１４ｂとで一体に形成されており、裏保護プレート１２ａの表面から突出するように設けられている。そして、モニタ表示パネル１４は、上記の日時合わせボタンと上下に位置して、裏蓋の背面側に露出している。なお、データ写込み装置１のコストを削減すべく、モニタ表示パネル１４を省略してもよい。
【００２５】
次に、図３を参照して、データ写込み装置１の裏蓋２への取付構造について説明する。上述したように、裏蓋３は、外殻ケース７と地板８と圧板９とを備え、データ写込み装置１は、外殻ケース７と地板８との間に収容されている。この場合、地板８は、ばね１０を介して圧板９を保持し、この状態で外殻ケース７に対し着脱自在に取り付けられている。この着脱構造は、特に図示しないが、ねじ止めや爪片によるスナップイン形式はもとより、ヒンジを用い回動させて外殻ケース７から離脱させるものであってもよい。そして、データ写込み装置１は、外殻ケース７の内側（同図（ａ））、または地板８の背面側に（同図（ｂ））に着脱自在に装着されるようになっている。
【００２６】
同図（ａ）の取付構造では、外殻ケース７の内側にセット部２１Ａが一体に形成され、このセット部２１Ａにデータ写込み装置１が装着されている。セット部２１Ａは、外殻ケース７の内側に形成した上下２条の係止突部３１，３１により、断面「Ｃ」字状のあり溝３２を構成したものであり、データ写込み装置１をその側端から水平にスライドとさせて挿入するようになっている。そして、所望のセット位置に挿入したデータ写込み装置１は、係止突部３１の外側から螺合した複数のねじ３３により、セット部２１Ａに固定されている。
【００２７】
このような構成では、外殻ケース７から圧板９と共に地板８を取り外し、さらにねじ３３を外した後、データ写込み装置１をスライドさせることで、データ写込み装置１をセット部２１Ａから簡単に取り外すことができる。また、逆の手順で、データ写込み装置１をセット部２１Ａに簡単に取り付けることができる。
【００２８】
同様に、同図（ｂ）の取付構造では、地板８の背面側にセット部２１Ｂが一体に形成され、このセット部２１Ｂにデータ写込み装置１が装着されている。セット部２１Ｂは、地板の上下両端部に延設した上下２条の係止突部３５，３５により、断面「Ｃ」字状のあり溝３６を構成したものであり、データ写込み装置１をその側端から水平にスライドとさせて挿入するようになっている。そして、所望のセット位置に挿入したデータ写込み装置１は、係止突部３５の外側から螺合したねじ３７およびデータ写込み装置１側から螺合したねじ３７により、セット部２１Ｂに固定されている。
【００２９】
この構成でも、上記のものと同様に、セット部２１Ｂに対しデータ写込み装置１を簡単に着脱することができる。すなわち、これらの取付構造を用いることにより、カメラ本体２の裏蓋３に対し、データ写込み装置１を簡単に組み込むことができると共に、組み込んだデータ写込み装置１を他のデータ写込み装置１、例えば写込みデータの異なるデータ写込み装置１と簡単に交換することができる。
【００３０】
写込みデータの異なるデータ写込み装置１としては、例えば日付け、時刻等の写込みデータに対し、時差を考慮した海外仕様（アメリカ仕様、ヨーロッパ仕様等）の日付け、時刻等の写込みデータを有するもの、或いは日時表示と同時に表示されるキャラクターやメッセージなどのデータを有するものなどが考えられる。また、機能の異なるデータ写込み装置１を交換可能に用意しておいてもよい。たとえば、写込み専用の電池を内蔵したもの、あるいはモニタ表示パネル１４のない安価なものなどが考えられる。
【００３１】
なお、上記のねじ３３，３７に代えて、セット部２１Ａ，２１Ｂに形成した爪片とデータ写込み装置１に形成した溝とで掛止め構造を構成し、セット位置にスライドさせたデータ写込み装置１の溝に、セット部２１Ａ，２１Ｂに形成した爪片に掛け止めされるようにしていもよい。またこの場合には、地板８および圧板９を取り外すことなく、外殻ケース７と地板８との間隙（セット部２１Ａ，２１Ｂ）にデータ写込み装置１をスライド装着する構造とすることもできる。このようにすれば、外殻ケース７に地板８を着脱自在とする必要がなくなり、より構造を単純化することができる。さらに、上記の係止突部３１，３５を左右２条とし、データ写込み装置１を上下方向からスライドさせて挿入する構造にしてもよい。
【００３２】
次に、図４を参照して、データ写込み装置１の取付構造に係る第２実施形態について説明する。同図（ａ）の取付構造では、外殻ケース７の内側に一体に形成したセット部２１Ａに、データ写込み装置１が正面からスナップイン形式で装着されるようになっている。セット部２１Ａには、方形のデータ写込み装置１が嵌合するセット溝４１が形成されると共に、セット溝４１の左右の縁部に内向きの掛止爪４２ａを有する一対の掛止受け部４２，４２が突出形成されている。一方、この一対の掛止受け部４２，４２に対応して、データ写込み装置１には、外向き掛止爪４３ａを有する左右一対の掛止部４３，４３が形成されている。
【００３３】
データ写込み装置１を正面からセット溝４１に臨ませ、押し込むことで、ばね性を有する掛止受け部４２の掛止爪４２ａに掛止部４３の掛止爪４３ａが掛け止めされて、データ写込み装置１がセット部２１Ａに簡単に装着される。また、掛止受け部４２の掛止爪４２ａを外側に曲げ、掛止部４３の掛止爪４３ａとの掛止め状態を解くことにより、データ写込み装置１をセット部２１Ａから簡単に外すことができる。
【００３４】
同様に、同図（ｂ）の取付構造では、地板８の背面に一体に形成したセット部２１Ｂに、データ写込み装置１がスナップイン形式で装着されるようになっている。この場合には、地板８の背面に、上記と同様に地板８に一体に形成した一対の掛止受け部４６，４６により、セット部４５が構成されている。また、上記と同様に、データ写込み装置１には、左右一対の掛止部４７，４７が形成されている。この場合も、データ写込み装置１を正面からセット部２１Ｂに押し込むことで、掛止受け部４６の掛止爪４６ａに掛止部４７の掛止爪４７ａが掛け止めされて、データ写込み装置１がセット部２１Ｂに装着される。なお、この場合には、地板８に形成した開口８ａに、データ写込み装置１の写込み表示パネル１１の部分が嵌合することで、地板８に対するデータ写込み装置１の位置決めが為される。
【００３５】
なお、上記の一対の掛止受け部４２，４６および一対の掛止部４３，４７を、上下に配置するようにしてもよい。もっとも、セット溝４１，４５の周囲をガイド壁とし、ガイド壁の一部に適宜切り込みを入れて、ばね性を有する掛止受け部４２，４６を形成するようにしてもよい。また、データ写込み装置１の中央部に貫通開口を形成し、この貫通開口に掛止部４３，４７を形成するようにしてもよい。もちろん、この場合の掛止受け部４２，４６は、この掛止部４３，４７に対応した位置に形成する。
【００３６】
次に、図５および図６を参照して、データ写込み装置１の取付構造に係る第３実施形態について説明する。図５および図６（ａ）の取付構造では、外殻ケース７の内側に一体に形成したセット部２１Ａに、データ写込み装置１が正面から装着されるようになっている。セット部２１Ａには、方形のデータ写込み装置１が嵌合するセット溝５１が形成されると共に、セット溝５１の四隅を構成する縁部に「Ｌ」字状の台座５２が突出形成され、台座５２には挟持爪５３がそれぞれ設けられている（但し、写込み表示パネル１１の部分にはない）。各挟持爪５３は、セット溝５１に装着したデータ写込み装置１をセット溝５１の溝底５１ａとの間に挟持する挟持位置と、この挟持を解除する挟持解除位置との間で回動自在に構成されている。
【００３７】
したがって、データ写込み装置１をセット溝５１にセットした後、３つの挟持爪５３，５３，５３をそれぞれ挟持位置に回動させることにより、データ写込み装置１は、セット溝５１との間に挟持固定される。また、逆の手順で、３つの挟持爪５３，５３，５３をそれぞれ挟持解除位置に回動させることにより、データ写込み装置１は、セット溝５１から簡単に取り外すことができる。
【００３８】
同様に、図６（ｂ）の取付構造では、地板８の内側に一体に形成したセット部２１Ｂに、データ写込み装置１が正面から装着されるようになっている。セット部２１Ｂには、方形のデータ写込み装置１が嵌合するセット溝５５が形成されると共に、セット溝５５の四隅を構成する縁部に台座５６が突出形成され、台座５６には挟持爪５７がそれぞれ設けられている。また、各挟持爪５７は、挟持位置と挟持解除位置との間で回動自在に構成されている。この場合も、データ写込み装置１をセット溝５５にセットした後、３つの挟持爪５７，５７，５７をそれぞれ挟持位置に回動させることにより、データ写込み装置は、セット溝５５の溝底５５ａとの間に挟持固定される。
【００３９】
次に、図７および図８を参照して、データ写込み装置１の取付構造に係る第４実施形態について説明する。この実施形態では、データ写込み装置１がカメラ本体２の裏蓋３にその背面側から装着されるようになっている。裏蓋３の外殻ケース７には、データ写込み装置１を外側から装着するための方形の装着開口６１が形成されている。また、装着開口６１の内周部、すなわち四周には、枠状の弾性部材６２が取り付けられている。弾性部材６２は、カメラ本体２内部への光漏れを阻止すると共に、データ写込み装置１の装着を許容するものであり、データ写込み装置１は、弾性部材６２を介して装着開口６１に着脱自在に装着されている。
【００４０】
この構成では、データ写込み装置１を装着開口６１に押し込むことで、弾性部材６２が適宜変形してこれを簡単に装着することができ、且つこの状態からデータ写込み装置１を引き抜くだけで、これを簡単に取り外すことができる。すなわち、データ写込み装置１をカメラ本体２の外部から簡単に着脱することができると共に、データ写込み装置１を装着した状態では、弾性部材６２が変形して光漏れを確実に防止することができる。
【００４１】
以上のように、これらの実施形態によれば、カメラ本体２に対し、データ写込み装置１を簡単に着脱することができるため、写込みデータや機能の異なる各種のデータ写込み装置１を用意しておくことにより、データ写込み装置１の異なる各種のカメラを簡単に製造することができる。また、ユーザーをして、データ写込み装置１を簡単に交換することができる。
【００４２】
【発明の効果】
以上のように本発明のデータ写込みユニットの取付構造およびカメラによれば、カメラ本体内への光漏れを確実に防止した状態で、データ写込みユニットを簡単に着脱することができる。このため、写込みデータおよび写込み機能の異なる各種のデータ写込みユニットを用意しておくことで、カメラ本体を共用して、各種異なるのデータ写込みユニットを搭載したカメラを簡単に構成することができる。
【図面の簡単な説明】
【図１】本発明の実施形態に係るデータ写込み装置の開蓋状態の外観斜視図である。
【図２】実施形態に係るデータ写込み装置の構造図である。
【図３】実施形態に係るデータ写込み装置の取付構造を表した縦断面図である。
【図４】第２実施形態に係るデータ写込み装置の取付構造を表した横断面図である。
【図５】第３実施形態に係るデータ写込み装置の取付構造を表した斜視図である。
【図６】第３実施形態に係るデータ写込み装置の取付構造を表した横断面図である。
【図７】第４実施形態に係るデータ写込み装置の取付構造を表した斜視図である。
【図８】第４実施形態に係るデータ写込み装置の取付構造を表した横断面図である。
【符号の説明】
１  データ写込み装置
２  カメラ本体
３  裏蓋
７  外殻ケース
８  地板
９  圧板
１１  写込み表示パネル
２１Ａ  セット部
２１Ｂ  セット部
３２  あり溝
３３  ねじ
３６  あり溝
３７  ねじ
４２  掛止受け部
４３  掛止部
４６  掛止受け部
４７  掛止部
５３  挟持爪
５７  挟持爪
６１  装着開口
６２  弾性部材
【図１】
0003692899.tif 000002
【図２】
0003692899.tif 000003
【図３】
0003692899.tif 000004
【図４】
0003692899.tif 000005
【図５】
0003692899.tif 000006
【図６】
0003692899.tif 000007
【図７】
0003692899.tif 000008
【図８】
0003692899.tif 000009